【手続補正書】
【提出日】平成26年6月30日(2014.6.30)
【手続補正１】
【補正対象書類名】特許請求の範囲
【補正対象項目名】全文
【補正方法】変更
【補正の内容】
【特許請求の範囲】
【請求項１】
複数のプロセッサを使用した並列画像処理のための電子機器であって、
画像データを提供する複数のイメージセンサと、
前記画像データを区分することが有益であるか否かを決定し、前記画像データを区分して区分された画像データを生成する、マルチプルプロセッサインターフェースと、
前記区分された画像データを処理して、処理された、区分された画像データを生成する複数のプロセッサであって、前記複数のプロセッサの各プロセッサは、前記複数のイメージセンサのうちの１つに専用であり、前記画像データを区分することは有益でないと前記マルチプルプロセッサインターフェースが決定した場合、各プロセッサは、各プロセッサに専用であるイメージセンサからの画像データのみを処理する、複数のプロセッサとを具備し、
前記マルチプルプロセッサインターフェースは、前記区分された画像データを処理するために使用される前記複数のプロセッサの数を動的に調整し、前記マルチプルプロセッサは、前記区分された画像データを前記複数のプロセッサの数にマッピングし、前記区分された画像データを前記複数のプロセッサの数のクロックレートに同期させる電子機器。
【請求項２】
前記処理された、区分された画像データを結合して、処理された画像を生成する結合モジュールをさらに具備する請求項１記載の電子機器。
【請求項３】
前記複数のプロセッサのうちの少なくとも１つのプロセッサは、前記少なくとも１つのプロセッサに専用でない少なくとも１つのイメージセンサからの、区分された画像データを処理する請求項１記載の電子機器。
【請求項４】
前記マルチプルプロセッサインターフェースは、前記複数のプロセッサから、画像データ処理のためにプロセッサを動的に追加する請求項１記載の電子機器。
【請求項５】
画像データ処理のためにプロセッサを動的に追加することは、作業負荷に基づいている請求項４記載の電子機器。
【請求項６】
前記マルチプルプロセッサインターフェースは、区分されているなら、前記画像データをより速く処理できる場合に、前記画像データを区分することが有益であると決定する請求項１記載の電子機器。
【請求項７】
前記マルチプルプロセッサインターフェースは、前記複数のプロセッサのうちの少なくとも１つが、前記画像データを各個で処理する能力がない場合に、前記画像データを区分することが有益であると決定する請求項１記載の電子機器。
【請求項８】
前記マルチプルプロセッサインターフェースは、区分されているなら、前記画像データをより少ない電力を使用して処理できる場合に、前記画像データを区分することが有益であると決定する請求項１記載の電子機器。
【請求項９】
前記マルチプルプロセッサインターフェースは、前記画像データを前記複数のプロセッサにマッピングするためのマッピングを決定する請求項１記載の電子機器。
【請求項１０】
前記マルチプルプロセッサインターフェースは、前記画像データの区分けを決定する請求項１記載の電子機器。
【請求項１１】
前記複数のプロセッサのうちの少なくとも１つは、前記複数のプロセッサのうちの別のものとは異なる能力を有する請求項１記載の電子機器。
【請求項１２】
前記複数のイメージセンサのうちの少なくとも１つは、前記複数のイメージセンサのうちの別のものとは異なる能力を有する請求項１記載の電子機器。
【請求項１３】
前記複数のプロセッサは、前記画像データを各個で処理する能力がない請求項１記載の電子機器。
【請求項１４】
前記区分された画像データの区分は、オーバーラップしている請求項１記載の電子機器。
【請求項１５】
前記複数のプロセッサは、前記区分された画像データを、リアルタイムで並列に処理する請求項１記載の電子機器。
【請求項１６】
前記電子機器は、ワイヤレス通信デバイスである請求項１記載の電子機器。
【請求項１７】
前記複数のプロセッサは、イメージシグナルプロセッサ（ＩＳＰ）である請求項１記載の電子機器。
【請求項１８】
前記電子機器は、前記画像データが処理の前に記憶されないように、前記画像データをストリーミングする請求項１記載の電子機器。
【請求項１９】
前記結合モジュールは、出力バッファを備える請求項２記載の電子機器。
【請求項２０】
前記結合モジュールは、出力インターフェースおよび出力バッファを備える請求項２記載の電子機器。
【請求項２１】
複数のプロセッサを使用した並列画像処理のための方法であって、
複数のイメージセンサを使用して、画像データを電子機器に提供することと、
前記画像データを前記複数のプロセッサにマッピングすることであって、各プロセッサは、前記複数のイメージセンサのうちの１つに専用であり、前記画像データを処理するために使用される、前記複数のプロセッサのうちのプロセッサの数は、動的に調整される、マッピングすることと、
前記画像データを区分することが有益であるか否かを決定することとを具備し、
前記画像データを区分することが有益でないと決定された場合、各プロセッサは、各プロセッサに専用であるイメージセンサからの画像データのみを処理し、
前記画像データを区分することが有益であると決定された場合、前記方法は、
前記画像データを区分して、区分された画像データを生成することと、
前記区分された画像データを前記複数のプロセッサのクロックレートに同期させることと、
前記区分された画像データを処理して、処理された、区分された画像データを生成することとをさらに具備する方法。
【請求項２２】
前記処理された、区分された画像データを結合して、処理された画像を生成することをさらに具備する請求項２１記載の方法。
【請求項２３】
前記複数のプロセッサのうちの少なくとも１つのプロセッサは、前記少なくとも１つのプロセッサに専用でない少なくとも１つのイメージセンサからの、区分された画像データを処理する請求項２１記載の方法。
【請求項２４】
前記電子機器は、前記複数のプロセッサから、画像データ処理のためにプロセッサを動的に追加する請求項２１記載の方法。
【請求項２５】
画像データ処理のためにプロセッサを動的に追加することは、作業負荷に基づいている請求項２４記載の方法。
【請求項２６】
前記画像データを区分することが有益であるか否かを決定することは、区分されているなら、前記画像データをより速く処理できるか否かに基づいている請求項２１記載の方法。
【請求項２７】
前記画像データを区分することが有益であるか否かを決定することは、前記複数のプロセッサのうちの少なくとも１つが、前記画像データを各個で処理する能力がないか否かに基づいている請求項２１記載の方法。
【請求項２８】
前記画像データを区分することが有益であるか否かを決定することは、区分されているなら、前記画像データをより少ない電力を使用して処理できるか否かに基づいている請求項２１記載の方法。
【請求項２９】
前記画像データを前記複数のプロセッサにマッピングするためのマッピングを決定することをさらに具備する請求項２１記載の方法。
【請求項３０】
前記画像データの区分けを決定することをさらに具備する請求項２１記載の方法。
【請求項３１】
前記複数のプロセッサのうちの少なくとも１つは、前記複数のプロセッサのうちの別のものとは異なる能力を有する請求項２１記載の方法。
【請求項３２】
前記複数のイメージセンサのうちの少なくとも１つは、前記イメージセンサのうちの別のものとは異なる能力を有する請求項２１記載の方法。
【請求項３３】
前記複数のプロセッサは、前記画像データを各個で処理する能力がない請求項２１記載の方法。
【請求項３４】
前記区分された画像データは、オーバーラップしている請求項２１記載の方法。
【請求項３５】
前記区分された画像データを処理することは、リアルタイムで並列に行われる請求項２１記載の方法。
【請求項３６】
前記電子機器は、ワイヤレス通信デバイスである請求項２１記載の方法。
【請求項３７】
前記複数のプロセッサは、イメージシグナルプロセッサ（ＩＳＰ）である請求項２１記載の方法。
【請求項３８】
前記画像データが処理の前に記憶されないように、前記画像データをストリーミングすることをさらに具備する請求項２１記載の方法。
【請求項３９】
前記処理された、区分された画像データは、出力バッファを使用して結合される請求項２２記載の方法。
【請求項４０】
前記処理された、区分された画像データは、出力インターフェースおよび出力バッファを使用して結合される請求項２２記載の方法。
【請求項４１】
複数のプロセッサを使用した並列画像処理のためのコンピュータプログラム製品において、
前記コンピュータプログラム製品は、その上に命令を有している非一過性のコンピュータ読取可能媒体を具備し、
前記命令は、
複数のイメージセンサを使用して、画像データを提供するためのコードと、
前記画像データを前記複数のプロセッサにマッピングするためのコードであって、各プロセッサは、前記複数のイメージセンサのうちの１つに専用であり、前記画像データを処理するために使用される、前記複数のプロセッサのうちのプロセッサの数は、動的に調整される、コードと、
前記画像データを区分することが有益であるか否かを決定するためのコードであって、前記画像データを区分することが有益でないと決定された場合、各プロセッサは、各プロセッサに専用であるイメージセンサからの画像データのみを処理する、コードとを具備し、
前記画像データを区分することが有益であると決定された場合、前記命令は、
前記画像データを区分して、区分された画像データを生成するためのコードと、
前記区分された画像データを前記複数のプロセッサのクロックレートに同期させるためのコードと、
前記区分された画像データを処理して、処理された、区分された画像データを生成するためのコードとをさらに具備するコンピュータプログラム製品。
【請求項４２】
前記複数のプロセッサのうちの少なくとも１つのプロセッサは、前記少なくとも１つのプロセッサに専用でない少なくとも１つのイメージセンサからの、区分された画像データを処理する請求項４１記載のコンピュータプログラム製品。
【請求項４３】
前記複数のプロセッサから、画像データ処理のためにプロセッサを動的に追加するためのコードをさらに具備する請求項４１記載のコンピュータプログラム製品。
【請求項４４】
画像データの処理のためにプロセッサを動的に追加することは、作業負荷に基づいている請求項４３記載のコンピュータプログラム製品。
【請求項４５】
複数のプロセッサを使用した並列画像処理のための装置において、
複数のイメージセンサを使用して、画像データを提供する手段と、
前記画像データを前記複数のプロセッサにマッピングする手段であって、各プロセッサは、前記複数のイメージセンサのうちの１つに専用であり、前記画像データを処理するために使用される、前記複数のプロセッサのうちのプロセッサの数は、動的に調整される、手段と、
前記画像データを区分することが有益であるか否かを決定する手段であって、前記画像データを区分することが有益でないと決定された場合、各プロセッサは、各プロセッサに専用であるイメージセンサからの画像データのみを処理する、手段とを具備し、
前記画像データを区分することが有益であると決定された場合、前記装置は、
前記画像データを区分して、区分された画像データを生成する手段と、
前記区分された画像データを前記複数のプロセッサのクロックレートに同期させる手段と、
前記区分された画像データを処理して、処理された、区分された画像データを生成する手段とをさらに具備する装置。
【請求項４６】
前記複数のプロセッサのうちの少なくとも１つのプロセッサは、前記少なくとも１つのプロセッサに専用でない少なくとも１つのイメージセンサからの、区分された画像データを処理する請求項４５記載の装置。
【請求項４７】
前記複数のプロセッサから、画像データ処理のためにプロセッサを動的に追加する手段をさらに具備する請求項４５記載の装置。
【請求項４８】
前記画像データの処理のためにプロセッサを動的に追加する手段は、作業負荷に基づいている請求項４７記載の装置。